(57)【要約】【課題】  留置針に延長チューブを連結する作業が必要ではなく、被験者の血管に留置針を穿刺しても血液が外部に漏出することがなく、高圧に薬液を注入しても漏出することがない薬液注入用具を提供する。【解決手段】  注入針３０１と管状部材３０３と延長チューブ３０４とが一体に連結されているので、被験者の血管に注入針３０１が穿刺された状態で管状部材３０３に延長チューブ３０４を連結する必要がなく、内部から気泡を排除するために被験者の血液を注入針３０１から管状部材３０３に逆流させても、その血液が外部に漏出することがなく、高粘度な造影剤を薬液として高圧に注入しても延長チューブ３０４と管状部材３０３との連結部分から漏出することがない。【選択図】  図１
2005185311.tif 000002
【特許請求の範囲】
【請求項１】
血管に薬液を注入するための薬液注入用具であって、
前記血管に留置される柔軟で中空の注入針と、
前記注入針の内部に抜取自在に配置されていて少なくとも前記血管に穿刺される前部が硬質で先鋭な硬質針と、
１個の前端と２個の後端とを有する二股構造で前記前端が前記注入針の後端に一体に連結されているとともに一方の前記後端に前記硬質針の後端が配置されている硬質で中空の管状部材と、
この管状部材の他方の後端に前端が一体に連結されていて後端に別体の薬液容器が着脱自在に連結される柔軟な延長チューブと、
を有しており、
前記管状部材と前記延長チューブとの内部に前記薬液が充填されている薬液注入用具。
【請求項２】
血管に薬液を注入するための薬液注入用具であって、
前記血管に留置される柔軟で中空の注入針と、
前記注入針の内部に抜取自在に配置されていて少なくとも前記血管に穿刺される前部が硬質で先鋭な硬質針と、
１個の前端と２個の後端とを有する二股構造で前記前端が前記注入針の後端に一体に連結されているとともに一方の前記後端に前記硬質針の後端が配置されている硬質で中空の管状部材と、
この管状部材の他方の後端に前端が一体に連結されていて後端に別体の薬液容器が着脱自在に連結される柔軟な延長チューブと、
を有しており、
前記管状部材と前記延長チューブとの内部に生理食塩水が充填されている薬液注入用具。
【請求項３】
血管に薬液を注入するための薬液注入用具であって、
前記血管に留置される柔軟で中空の注入針と、
前記注入針の内部に抜取自在に配置されていて少なくとも前記血管に穿刺される前部が硬質で先鋭な硬質針と、
１個の前端と２個の後端とを有する二股構造で前記前端が前記注入針の後端に一体に連結されているとともに一方の前記後端に前記硬質針の後端が配置されている硬質で中空の管状部材と、
この管状部材の他方の後端に前端が一体に連結されていて後端に別体の薬液容器が着脱自在に連結される柔軟な延長チューブと、
前記管状部材と前記延長チューブとの少なくとも一方に形成されていて液体から気泡を排除する気泡排除手段と、
を有している薬液注入用具。
【請求項４】
前記延長チューブの後端が二股構造に形成されている請求項１ないし３の何れか一項に記載の薬液注入用具。
【請求項５】
血管に薬液を注入するための薬液注入用具であって、
前記血管に留置される柔軟で中空の注入針と、
前記注入針の内部に抜取自在に配置されていて少なくとも前記血管に穿刺される前部が硬質で先鋭な硬質針と、
１個の前端と２個の後端とを有する二股構造で前記前端が前記注入針の後端に一体に連結されているとともに一方の前記後端に前記硬質針の後端が配置されている硬質で中空の管状部材と、
この管状部材の他方の後端に前端が一体に連結されている柔軟な延長チューブと、
この延長チューブの後端に一体に連結されていて前記薬液が充填されている薬液容器と、
を有しており、
前記管状部材と前記延長チューブと前記薬液容器との内部に前記薬液が充填されている薬液注入用具。
【請求項６】
血管に薬液を注入するための薬液注入用具であって、
前記血管に留置される柔軟で中空の注入針と、
前記注入針の内部に抜取自在に配置されていて少なくとも前記血管に穿刺される前部が硬質で先鋭な硬質針と、
１個の前端と２個の後端とを有する二股構造で前記前端が前記注入針の後端に一体に連結されているとともに一方の前記後端に前記硬質針の後端が配置されている硬質で中空の管状部材と、
この管状部材の他方の後端に前端が一体に連結されている柔軟な延長チューブと、
この延長チューブの後端に一体に連結されていて前記薬液が充填されている薬液容器と、
を有しており、
前記管状部材と前記延長チューブとの内部に生理食塩水が充填されている薬液注入用具。
【請求項７】
血管に薬液を注入するための薬液注入用具であって、
前記血管に留置される柔軟で中空の注入針と、
前記注入針の内部に抜取自在に配置されていて少なくとも前記血管に穿刺される前部が硬質で先鋭な硬質針と、
１個の前端と２個の後端とを有する二股構造で前記前端が前記注入針の後端に一体に連結されているとともに一方の前記後端に前記硬質針の後端が配置されている硬質で中空の管状部材と、
この管状部材の他方の後端に前端が一体に連結されている柔軟な延長チューブと、
この延長チューブの後端に一体に連結されていて前記薬液が充填されている薬液容器と、
前記管状部材と前記延長チューブとの少なくとも一方に形成されていて液体から気泡を排除する気泡排除手段と、
を有している薬液注入用具。
【請求項８】
前記延長チューブの後端が二股構造に形成されていて前記薬液として造影剤が充填されている造影シリンジと生理食塩水が充填されている生食シリンジとが前記薬液容器として個々に一体に連結されている請求項５ないし７の何れか一項に記載の薬液注入用具。
【請求項９】
血管に薬液を注入するための薬液注入用具であって、
常温では硬質となり体温では柔軟となる材料で形成されていて前記血管に留置される中空の注入針と、
前端が前記注入針の後端に一体に連結されている硬質で中空の管状部材と、
この管状部材の後端に前端が一体に連結されていて後端に別体の薬液容器が着脱自在に連結される柔軟な延長チューブと、
を有しており、
前記注入針と前記管状部材と前記延長チューブとの内部に前記薬液が充填されている薬液注入用具。
【請求項１０】
血管に薬液を注入するための薬液注入用具であって、
常温では硬質となり体温では柔軟となる材料で形成されていて前記血管に留置される中空の注入針と、
前端が前記注入針の後端に一体に連結されている硬質で中空の管状部材と、
この管状部材の後端に前端が一体に連結されていて後端に別体の薬液容器が着脱自在に連結される柔軟な延長チューブと、
を有しており、
前記注入針と前記管状部材と前記延長チューブとの内部に生理食塩水が充填されている薬液注入用具。
【請求項１１】
血管に薬液を注入するための薬液注入用具であって、
常温では硬質となり体温では柔軟となる材料で形成されていて前記血管に留置される中空の注入針と、
前端が前記注入針の後端に一体に連結されている硬質で中空の管状部材と、
この管状部材の後端に前端が一体に連結されていて後端に別体の薬液容器が着脱自在に連結される柔軟な延長チューブと、
前記管状部材と前記延長チューブとの少なくとも一方に形成されていて液体から気泡を排除する気泡排除手段と、
を有している薬液注入用具。
【請求項１２】
前記延長チューブの後端が二股構造に形成されている請求項９ないし１１の何れか一項に記載の薬液注入用具。
【請求項１３】
血管に薬液を注入するための薬液注入用具であって、
常温では硬質となり体温では柔軟となる材料で形成されていて前記血管に留置される中空の注入針と、
前端が前記注入針の後端に一体に連結されている硬質で中空の管状部材と、
この管状部材の後端に前端が一体に連結されている柔軟な延長チューブと、
この延長チューブの後端に一体に連結されていて前記薬液が充填されている薬液容器と、
を有しており、
前記注入針と前記管状部材と前記延長チューブとの内部に前記薬液が充填されている薬液注入用具。
【請求項１４】
血管に薬液を注入するための薬液注入用具であって、
常温では硬質となり体温では柔軟となる材料で形成されていて前記血管に留置される中空の注入針と、
前端が前記注入針の後端に一体に連結されている硬質で中空の管状部材と、
この管状部材の後端に前端が一体に連結されている柔軟な延長チューブと、
この延長チューブの後端に一体に連結されていて前記薬液が充填されている薬液容器と、
を有しており、
前記注入針と前記管状部材と前記延長チューブとの内部に生理食塩水が充填されている薬液注入用具。
【請求項１５】
血管に薬液を注入するための薬液注入用具であって、
常温では硬質となり体温では柔軟となる材料で形成されていて前記血管に留置される中空の注入針と、
前端が前記注入針の後端に一体に連結されている硬質で中空の管状部材と、
この管状部材の後端に前端が一体に連結されている柔軟な延長チューブと、
この延長チューブの後端に一体に連結されていて前記薬液が充填されている薬液容器と、
前記管状部材と前記延長チューブとの少なくとも一方に形成されていて液体から気泡を排除する気泡排除手段と、
を有している薬液注入用具。
【請求項１６】
前記延長チューブの後端が二股構造に形成されていて前記薬液として造影剤が充填されている造影シリンジと生理食塩水が充填されている生食シリンジとが前記薬液容器として個々に一体に連結されている請求項１３ないし１５の何れか一項に記載の薬液注入用具。
【発明の詳細な説明】
【技術分野】
【０００１】
本発明は、血管に薬液を注入するための薬液注入用具に関し、特に、柔軟な注入針が血管に留置される薬液注入用具に関する。
【背景技術】
【０００２】
現在、被験者の血管に薬液を注入する場合、シリンダ部材にピストン部材がスライド自在に挿入されている薬液容器に先鋭な注射針を直接に装着し、その注射針を血管に直接に穿刺することがある。しかし、これは注入が長時間となる場合や大容量の薬液を注入する場合には困難なので、このような場合には、薬液容器に柔軟な延長チューブで注射針を連結している。
【０００３】
さらに、被験者が長期間の入院患者などの場合には注射針の穿刺が何度も必要となることがあるので、このような場合には血管に留置しても被験者の負担が微少な留置針が利用されている。
【０００４】
また、ＣＴ(Computed Tomography)スキャナやＭＲＩ(Magnetic Resonance Imaging)装置などの透視撮像装置で被験者から透視画像を撮像する場合、一般的に被験者の血管に造影剤を注入する。しかし、透視画像の撮像は長時間となることがあるので、このような場合にも造影剤の注入に留置針を利用する場合がある。
【０００５】
［従来例の構成］
上述のような留置針の一従来例を図５を参照して以下に説明する。ここで薬液注入用具として例示する留置針１０は、注入針１１と硬質針１２と管状部材１３とを有しており、注入針１１は柔軟なシリコンなどで中空構造に形成されている。硬質針１２は、硬質なステンレス合金などで先鋭な形状に形成されており、この硬質針１２が注入針１１の内部に配置されている。
【０００６】
管状部材１３は、１個の前端と２個の後端とを有する二股構造に透明樹脂などで形成されており、その前端に注入針１１の後端が一体に連結されている。また、管状部材１３の一方の後端には高弾性なパッキン１４が装着されており、このパッキン１４を貫通している硬質針１２の後端にはノブ状部１６が一体に形成されている。
【０００７】
管状部材１３の他方の後端には、別体の柔軟な延長チューブ１７の前端がジョイント１８により着脱自在に装着され、この延長チューブ１７の後端には、薬液シリンジや薬液ボトルなどの薬液容器(図示せず)が着脱自在に装着される。なお、延長チューブ１７には、気泡排除手段である排気弁(図示せず)が装着されており、この排気弁が延長チューブ１７の内部の液体から気泡を排除する。
【０００８】
［従来例の作用］
上述のような構造の留置針１０を使用する場合は、図５(ａ)に示すように、硬質針１２が注入針１１の内部に配置された状態で、この注入針１１と硬質針１２とが被験者の血管に穿刺される(図示せず)。
【０００９】
つぎに、図５(ｂ)に示すように、このような状態でノブ状部１６が引き出されて硬質針１２が注入針１１と管状部材１３から抜き取られると、逆流する被験者の血液で注入針１１と管状部材１３の内部が充填される。なお、このように硬質針１２を離脱させると、パッキン１４は弾性により開口が閉止される。
【００１０】
つぎに、図５(ｃ)に示すように、後端に薬液容器が連結されて内部が薬液で充填された延長チューブ１７の前端が管状部材１３に連結され、例えば、排気弁により管状部材１３と延長チューブ１７との内部の液体から気泡が排除される。
【００１１】
このような状態では、薬液容器から延長チューブ１７と留置針１０とを介して被験者の血管に薬液を注入することができ、それでいて血管に穿刺されている注入針１１は柔軟なので被験者の身体的な負担が軽減されている。注入針１１は柔軟であるが、血管に穿刺されるときには硬質な硬質針１２で保持されているので、注入針１１を血管に容易に穿刺することができる。
【００１２】
現在、上述のような留置針として各種の提案がある(例えば、特許文献１〜１０参照)。
【特許文献１】特開平０６−３１９８００号
【特許文献２】特開平１０−２０１８５２号
【特許文献３】特開平０７−０２４０７１号
【特許文献４】特開平１１−０５７００２号
【特許文献５】特開２００１−２２４６９３号
【特許文献６】特開平０９−０２８８１１号
【特許文献７】特開２０００−２７９５０８号
【特許文献８】特開２００３−１９９８２２号
【特許文献９】特開平０６−３０４２５０号
【特許文献１０】特開２００１−０４６５０６号
【発明の開示】
【発明が解決しようとする課題】
【００１３】
しかし、上述のような留置針１０では、内部から気泡を排除するため、延長チューブ１７を連結する以前に管状部材１３の内部を被験者の血液で充填する必要がある。このため、延長チューブ１７を連結する直前に管状部材１３から外部に被験者の血液が漏出することがあり、被験者が罹患している場合は感染などの危険がある。
【００１４】
さらに、被験者の血管に注入針１１が穿刺された状態で管状部材１３に延長チューブ１７を連結することは用意ではなく、作業の負担が過大であるとともに前述した血液の漏出も多発しやすい。
【００１５】
しかも、前述のように透視撮像装置で撮像する被験者に造影剤を留置針１０で注入することがあるが、一般的に造影剤は高粘度であるために高圧で注入する必要がある。しかし、現在の留置針１０などは造影剤の注入を前提として設計されていないので、高圧に注入される造影剤が延長チューブ１７と留置針１０との連結部分から漏出することがある。
【００１６】
本発明は上述のような課題に鑑みてなされたものであり、留置針に延長チューブを連結する作業が必要ではなく、被験者の血管に留置針を穿刺しても血液が外部に漏出することがなく、高圧に薬液を注入しても漏出することがない薬液注入用具を提供することを目的とする。
【課題を解決するための手段】
【００１７】
本発明の第１ないし第３の薬液注入用具は、注入針、硬質針、管状部材、延長チューブ、を有しており、血管に薬液を注入することに利用される。注入針は、柔軟な材料で中空に形成されており、血管に留置される。硬質針は、少なくとも血管に穿刺される前部が硬質な材料で先鋭に形成されており、注入針の内部に抜取自在に配置されている。管状部材は、硬質な材料で１個の前端と２個の後端とを有する中空な二股構造に形成されており、前端が注入針の後端に一体に連結されているとともに一方の後端に硬質針の後端が配置されている。延長チューブは、柔軟な材料で形成されており、管状部材の他方の後端に前端が一体に連結されていて後端に別体の薬液容器が着脱自在に連結される。
【００１８】
そして、本発明の第１の薬液注入用具では、管状部材と延長チューブとの内部に薬液が充填されており、第２の薬液注入用具では、管状部材と延長チューブとの内部に生理食塩水が充填されており、第３の薬液注入用具では、管状部材と延長チューブとの少なくとも一方に液体から気泡を排除する気泡排除手段が形成されている。
【００１９】
従って、本発明の第１ないし第３の薬液注入用具を使用する場合は、硬質針が注入針の内部に配置された状態で、この注入針と硬質針とが被験者の血管に穿刺され、このような状態で硬質針が注入針と管状部材から抜き取られる。
【００２０】
このような状態で、第１の薬液注入用具では、管状部材と延長チューブとの内部に薬液が充填されているので、その延長チューブに同一の薬液の薬液容器が連結されれば、薬液容器および薬液注入用具から血管に薬液が注入されることになる。
【００２１】
また、第２の薬液注入用具では、管状部材と延長チューブとの内部に生理食塩水が充填されているので、その延長チューブに薬液容器が連結されれば、薬液容器の薬液が生理食塩水とともに血管に注入されることになる。
【００２２】
また、第３の薬液注入用具では、例えば、逆流する被験者の血液で注入針と管状部材との内部が充填されるので、このような状態で延長チューブの末端に薬液容器が連結され、その薬液容器の薬液で延長チューブの内部が充填される。このとき、延長チューブや管状部材の内部の気泡が気泡排除手段により外部に排除されるので、これで薬液容器から血管まで薬液が注入されることになる。
【００２３】
本発明の第４ないし第６の薬液注入用具は、第１ないし第３の薬液注入用具と同一の構成の他に薬液容器も有しており、この薬液容器は延長チューブの後端に一体に連結されていて薬液が充填されている。そして、第４の薬液注入用具では、管状部材と延長チューブの内部に薬液が充填されており、第５の薬液注入用具では、管状部材と延長チューブとの内部に生理食塩水が充填されており、第６の薬液注入用具では、管状部材と延長チューブとの少なくとも一方に液体から気泡を排除する気泡排除手段が形成されている。
【００２４】
従って、本発明の第４ないし第６の薬液注入用具を使用する場合は、硬質針が注入針の内部に配置された状態で、この注入針と硬質針とが被験者の血管に穿刺され、このような状態で硬質針が注入針と管状部材から抜き取られれば、延長チューブに薬液容器を連結することなく血管に薬液が注入されることになる。
【００２５】
本発明の第７ないし第９の薬液注入用具は、注入針、管状部材、延長チューブ、を有しており、注入針は、常温では硬質となり体温では柔軟となる材料で中空に形成されていて血管に留置される。管状部材は、硬質な材料で中空に形成されており、前端が注入針の後端に一体に連結されている。延長チューブは、柔軟な材料で形成されており、管状部材の後端に前端が一体に連結されていて後端に別体の薬液容器が着脱自在に連結される。
【００２６】
そして、本発明の第７の薬液注入用具では、注入針と管状部材と延長チューブとの内部に薬液が充填されており、第８の薬液注入用具では、注入針と管状部材と延長チューブとの内部に生理食塩水が充填されており、第９の薬液注入用具では、管状部材と延長チューブとの少なくとも一方に液体から気泡を排除する気泡排除手段が形成されている。
【００２７】
従って、本発明の第７ないし第９の薬液注入用具を使用する場合は、常温で硬質な注入針が被験者の血管に穿刺されると、この穿刺された注入針は被験者の体温により柔軟となる。
【００２８】
このような状態で、第７の薬液注入用具では、管状部材と延長チューブとの内部に薬液が充填されているので、その延長チューブに同一の薬液の薬液容器が連結されれば、薬液容器および薬液注入用具から血管に薬液が注入されることになる。
【００２９】
また、第８の薬液注入用具では、管状部材と延長チューブとの内部に生理食塩水が充填されているので、その延長チューブに薬液容器が連結されれば、薬液容器の薬液が生理食塩水とともに血管に注入されることになる。
【００３０】
また、第９の薬液注入用具では、例えば、逆流する被験者の血液で注入針と管状部材との内部が充填されるので、このような状態で延長チューブの末端に薬液容器が連結され、その薬液容器の薬液で延長チューブの内部が充填される。このとき、延長チューブや管状部材の内部の気泡が気泡排除手段により外部に排除されるので、これで薬液容器から血管まで薬液が注入されることになる。
【００３１】
従って、本発明の第７ないし第９の薬液注入用具を使用する場合は、常温で硬質な注入針が被験者の血管に穿刺されると、この穿刺された注入針は被験者の体温により柔軟となる。
【００３２】
本発明の第１０ないし第１２の薬液注入用具は、第７ないし第９の薬液注入用具と同一の構成の他に薬液容器も有しており、この薬液容器は延長チューブの後端に一体に連結されていて薬液が充填されている。そして、第１０の薬液注入用具では、管状部材と延長チューブの内部に薬液が充填されており、第１１の薬液注入用具では、管状部材と延長チューブとの内部に生理食塩水が充填されており、第１２の薬液注入用具では、管状部材と延長チューブとの少なくとも一方に液体から気泡を排除する気泡排除手段が形成されている。
【００３３】
従って、本発明の第１０ないし第１２の薬液注入用具を使用する場合は、硬質針が注入針の内部に配置された状態で、この注入針と硬質針とが被験者の血管に穿刺され、このような状態で延長チューブに薬液容器を連結することなく血管に薬液が注入されることになる。
【００３４】
なお、本発明で云う各種構成は、かならずしも個々に独立した存在である必要はなく、複数の構成が１個の部材として形成されていること、ある構成が他の構成の一部であること、ある構成の一部と他の構成の一部とが重複していること、等も可能である。また、本発明では前後方向を言及しているが、これは方向の相対関係を簡単に説明するために便宜的に規定したものであり、本発明を実施する場合の製造時や使用時の方向を限定するものではない。
【発明の効果】
【００３５】
本発明の第１および第２の薬液注入用具では、注入針と管状部材と延長チューブとが一体に連結されており、管状部材と延長チューブとの内部に薬液や生理食塩水が充填されていることにより、また、
本発明の第７および第８の薬液注入用具では、注入針と管状部材と延長チューブとが一体に連結されており、注入針と管状部材と延長チューブとの内部に薬液や生理食塩水が充填されていることにより、
被験者の血管に注入針が穿刺された状態で管状部材に延長チューブを連結する必要がないので、その作業が容易であるとともに、高粘度な造影剤を薬液として高圧に注入しても延長チューブと管状部材との連結部分から漏出することがなく、内部から気泡を排除するために被験者の血液を逆流させる必要がないので、薬液容器を連結する延長チューブから外部に血液が漏出するようなことも防止できる。
【００３６】
本発明の第３および第９の薬液注入用具では、注入針と管状部材と延長チューブとが一体に連結されており、管状部材と延長チューブとの少なくとも一方に液体から気泡を排除する気泡排除手段が形成されていることにより、被験者の血管に注入針が穿刺された状態で管状部材に延長チューブを連結する必要がないので作業が容易であるとともに、高粘度な造影剤を薬液として高圧に注入しても、延長チューブと管状部材との連結部分から漏出することがなく、内部から気泡を排除するために被験者の血液を延長チューブまで逆流させずとも、延長チューブに薬液容器を連結してから内部の気泡を排除できるので、薬液容器を連結する延長チューブから外部に血液が漏出するようなことも防止できる。
【００３７】
本発明の第４および第５の薬液注入用具では、注入針と管状部材と延長チューブと薬液容器とが一体に連結されており、管状部材と延長チューブとの内部に薬液や生理食塩水が充填されていることにより、また、
本発明の第１０および第１１の薬液注入用具では、注入針と管状部材と延長チューブと薬液容器とが一体に連結されており、注入針と管状部材と延長チューブとの内部に薬液や生理食塩水が充填されていることにより、
被験者の血管に注入針が穿刺された状態で管状部材に延長チューブを連結する必要がなく、延長チューブに薬液容器を連結する必要もないので、その作業が容易であるとともに、高粘度な造影剤を薬液として高圧に注入しても、延長チューブと管状部材との連結部分や薬液容器と延長チューブとの連結部分から漏出することがなく、内部に気泡が進入することがないので、気泡を排除するために逆流させた血液が外部に漏出することもない。
【００３８】
本発明の第６および第１２の薬液注入用具では、注入針と管状部材と延長チューブと薬液容器とが一体に連結されており、管状部材と延長チューブとの少なくとも一方に液体から気泡を排除する気泡排除手段が形成されていることにより、被験者の血管に注入針が穿刺された状態で管状部材に延長チューブを連結する必要がなく、延長チューブに薬液容器を連結する必要もないので、その作業が容易であるとともに、高粘度な造影剤を薬液として高圧に注入しても、延長チューブと管状部材との連結部分や薬液容器と延長チューブとの連結部分から漏出することがなく、気泡を排除するために血液を逆流させる必要がないので、延長チューブなどから外部に血液が漏出するようなことも防止できる。
【発明を実施するための最良の形態】
【００３９】
本発明の実施の一形態を図１ないし図４を参照して以下に説明する。ただし、本実施の形態に関して前述した一従来例と同一の部分は、同一の名称を使用して詳細な説明は省略する。
【００４０】
［実施の形態の構成］
本発明の実施の形態の薬液注入システム１０００は、図４に示すように、薬液注入装置１００、薬液容器である薬液シリンジ２００、薬液注入用具３００、透視撮像装置であるＭＲＩ装置４００、を有しており、このＭＲＩ装置４００は、撮像実行機構である透視撮像ユニット４０１と撮像制御ユニット４０２とを有している。透視撮像ユニット４０１は被験者(図示せず)から透視画像を撮像し、撮像制御ユニット４０２は透視撮像ユニット４０１を動作制御する。
【００４１】
薬液シリンジ２００は、図２に示すように、シリンダ部材２１０とピストン部材２２０からなり、シリンダ部材２１０にピストン部材２２０がスライド自在に挿入されている。シリンダ部材２１０は、円筒形の中空の本体部２１１を有しており、この本体部２１１の閉塞した前端面に導管部２１２が形成されている。
【００４２】
シリンダ部材２１０の本体部２１１の後端面は開口されており、この開口から本体部２１１の内部にピストン部材２２０が挿入されている。シリンダ部材２１０の後端外周にはシリンダフランジ２１３が形成されており、ピストン部材２２０の後端外周にはピストンフランジ２２１が形成されている。
【００４３】
なお、この薬液シリンジ２００としては、薬液として造影剤が充填されている造影シリンジ２００Ｃと、薬液として生理食塩水が充填されている生食シリンジ２００Ｗと、があり、薬液注入装置１００には、造影／生食シリンジ２００Ｃ，Ｗが１個ずつ同時に装着される。
【００４４】
本形態の薬液注入装置１００は、図３に示すように、注入制御ユニット１０１と注入ヘッド１１０とが別体に形成されており、その注入制御ユニット１０１と注入ヘッド１１０とは通信ケーブル１０２で有線接続されている。注入ヘッド１１０は、装着される薬液シリンジ２００を駆動して被験者に薬液を注入し、注入制御ユニット１０１は、注入ヘッド１１０を動作制御する。
【００４５】
注入制御ユニット１０１は、操作パネル１０３、タッチパネル１０４、スピーカユニット１０５、等が本体ハウジング１０６の前面に配置されており、別体のコントローラユニット１０７が接続コネクタ１０８で有線接続されている。
【００４６】
注入ヘッド１１０は、キャスタスタンド１１１の上端に可動アーム１１２で装着されており、図２に示すように、そのヘッド本体１１３の上面には、薬液シリンジ２００が着脱自在に装着される半円筒形の溝状の凹部１１４が２つ形成されている。この凹部１１４の前部には、薬液シリンジ２００のシリンダフランジ２１１を着脱自在に保持するシリンダ保持機構１１６が形成されており、凹部１１４の後方には、ピストンフランジ２２１を保持してスライド移動させる薬液注入機構１１７が配置されている。
【００４７】
シリンダ保持機構１１６は、凹部１１４に異形の凹溝として形成されており、シリンダフランジ２１１が係脱自在に係合する。薬液注入機構１１７は、作動時にも磁界を発生しない超音波モータ(図示せず)を駆動源として個々に有しており、ネジ機構(図示せず)などによりピストン部材２２０をスライド移動させる。
【００４８】
注入ヘッド１１０の２つの凹部１１４には、造影／生食シリンジ２００Ｃ，Ｗが個々に装着されるので、これら２つの凹部１１４と２個の薬液注入機構１１７により、被験者に造影剤を注入する造影注入機構１１７Ｃと生理食塩水を注入する生食注入機構１１７Ｗとが形成されている。
【００４９】
なお、本形態の薬液注入装置１００では、少なくとも注入ヘッド１１０の各部が非磁性体で形成されており、非磁性体で形成できない部分は防磁されている。例えば、超音波モータなどは、燐青銅合金(Cu+Sn+P)、チタン合金(Ti-6Al-4V)、マグネシウム合金(Mg+Al+Zn)、などの非磁性体の金属で形成されており、ヘッド本体１１３などは非磁性体の樹脂で形成されている。
【００５０】
また、本形態の薬液注入用具３００は、図１に示すように、注入針３０１、硬質針３０２、管状部材３０３、延長チューブ３０４、を有しており、注入針３０１は柔軟なシリコンなどで中空構造に形成されている。硬質針３０２は、硬質なステンレス合金などで先鋭な形状に形成されており、この硬質針３０２が注入針３０１の内部に配置されている。
【００５１】
管状部材３０３は、個の前端と個の後端とを有する二股構造に透明樹脂などで形成されており、その前端に注入針３０１の後端が一体に連結されている。また、管状部材３０３の一方の後端には高弾性なパッキン３０６が装着されており、このパッキン３０６を貫通している硬質針３０２の後端にはノブ状部３０７が一体に形成されている。
【００５２】
管状部材３０３の他方の後端には、柔軟な延長チューブ３０４の前端がジョイント３０８により一体に装着されており、この延長チューブ３０４には、気泡排除手段である排気弁(図示せず)が一体に形成されている。さらに、図３に示すように、この延長チューブ３０４の後部は二股に形成されており、この延長チューブ３０４の２つの後端には、薬液容器である造影／生食シリンジ２００Ｃ，Ｗが個々に着脱自在に装着される。
【００５３】
なお、本形態の薬液注入用具３００では、出荷時には管状部材３０３と延長チューブ３０４との内部が生理食塩水で充填されており、延長チューブ３０４の後端には密閉キャップ(図示せず)が着脱自在に装着されている。
【００５４】
［実施の形態の動作］
上述のような構成において、本形態の薬液注入装置１００を使用する場合、図３に示すように、作業者(図示せず)はＭＲＩ装置４００の撮像ユニット４０１の近傍に薬液注入装置１００を配置し、使用する造影／生食シリンジ２００Ｃ，Ｗや薬液注入用具３００などを用意する。
【００５５】
つぎに、例えば、図２に示すように、薬液注入用具３００の延長チューブ３０４の２つの後端から密閉キャップが取り外され、その延長チューブ３０４の２つの後端に造影／生食シリンジ２００Ｃ，Ｗが個々に連結される。前述のように、薬液注入用具３００の内部は事前に生理食塩水で充填されているので、その後端に造影／生食シリンジ２００Ｃ，Ｗが連結されると、これら造影／生食シリンジ２００Ｃ，Ｗと薬液注入用具３００との内部には空気が存在しない状態となる。
【００５６】
図１(ａ)に示すように、この薬液注入用具３００の注入針３０１と硬質針３０２とが被験者の血管に穿刺され(図示せず)、このような状態でノブ状部３０７が引き出されて硬質針３０２が注入針３０１と管状部材３０３から抜き取られる。このような状態で、薬液注入装置１００は、造影シリンジ２００Ｃのピストン部材２２０を造影注入機構１１７Ｃで固定したまま、生食シリンジ２００Ｗのピストン部材２２０を生食注入機構１１７Ｗにより微少に後退させる。
【００５７】
このとき、薬液注入用具３００の注入針３０１が血管に適切に穿刺されていれば、被験者の血液が管状部材３０３の内部に逆流する。従って、これで透明な管状部材３０３の内部に血液の逆流が視認されると、注入針３０１が血管に適切に穿刺されていることが確認される。
【００５８】
これが確認されると、例えば、薬液注入装置１００により造影剤と生理食塩水とが順番に被験者の血管に注入され、この被験者からＭＲＩ装置４００により透視画像が撮像される。なお、上述のように薬液注入用具３００に造影／生食シリンジ２００Ｃ，Ｗを連結するときに気泡が進入する可能性はあるが、その気泡は薬液注入用具３００の排気弁により外部に排除される。
【００５９】
［実施の形態の効果］
本形態の薬液注入用具３００では、上述のように注入針３０１と管状部材３０３と延長チューブ３０４とが一体に連結されているので、被験者の血管に注入針３０１が穿刺された状態で管状部材３０３に延長チューブ３０４を連結する必要がなく、その作業が容易である。
【００６０】
また、高粘度な造影剤を薬液として高圧に注入しても、その薬液が延長チューブ３０４と管状部材３０３との連結部分から漏出することがない。しかも、内部から気泡を排除するために被験者の血液を注入針３０１から管状部材３０３に逆流させる必要がないので、その血液が外部に漏出することもない。
【００６１】
しかも、延長チューブ３０４と管状部材３０３との内部に薬液として生理食塩水が事前に充填されており、延長チューブ３０４に液体から気泡を排除する排気弁が装着されているので、薬液注入用具３００を被験者の血管に連結したとき、その内部から簡単に気泡を排除することができる。
【００６２】
さらに、延長チューブ３０４の後端が二股構造に形成されているので、造影剤が充填されている造影シリンジ２００Ｃと生理食塩水が充填されている生食シリンジ２００Ｗとを同時に薬液注入用具３００に連結することができる。このため、簡単な構造で確実に被験者の血管に造影剤と生理食塩水とを自在に注入することができ、ＭＲＩ装置４００での透視画像の撮像に寄与することができる。
【００６３】
［実施の形態の変形例］
本発明は上記形態に限定されるものではなく、その要旨を逸脱しない範囲で各種の変形を許容する。例えば、上記形態では薬液注入用具３００の延長チューブ３０４の後端が二股構造に形成されていて造影／生食シリンジ２００Ｃ，Ｗが同時に個々に装着されることを例示した。
【００６４】
しかし、例えば、後端が１つで造影／生食シリンジ２００Ｃ，Ｗの一方のみ装着されることや、後端が３つ以上で３種類以上の薬液シリンジが装着されることも可能である(図示せず)。なお、上述のように後端が１つの薬液注入用具に造影シリンジ２００Ｃが装着される場合、その薬液注入用具に薬液として造影剤を事前に充填しておくことも可能である(図示せず)。
【００６５】
また、上記形態では薬液注入用具３００の延長チューブ３０４の二股の後端に別体の造影／生食シリンジ２００Ｃ，Ｗを着脱自在に装着することを例示したが、例えば、延長チューブ３０４の後端に造影／生食シリンジ２００Ｃ，Ｗが一体に装着されている薬液注入用具(図示せず)なども可能である。
【００６６】
さらに、上記形態では硬質針３０２の後端にノブ状部３０７が一体に形成されていることを例示したが、例えば、硬質針とノブ状部とが柔軟なワイヤ部材で連結されていることなども可能である。
【００６７】
また、上記形態では常時軟質な注入針３０１の内部に硬質針３０２が挿入されていることを例示したが、例えば、注入針が常温では硬質となり体温では柔軟となる材料で形成されており、硬質針が挿入されていないことも可能である(図示せず)。
【図面の簡単な説明】
【００６８】
【図１】本発明の実施の形態の薬液注入用具の内部構造を示す縦断側面図である。
【図２】薬液注入用具と薬液容器である薬液シリンジと薬液注入装置の注入ヘッドとの関係を示す分解斜視図である。
【図３】薬液注入装置の外観を示す斜視図である。
【図４】薬液注入システムの外観を示す斜視図である。
【図５】一従来例の留置針の内部構造を示す縦断側面図である。
【符号の説明】
【００６９】
３００    薬液注入用具
３０１    注入針
３０２    硬質針
３０３    管状部材
３０４    延長チューブ
２００    薬液容器である薬液シリンジ
【図１】
2005185311.tif 000003
【図２】
2005185311.tif 000004
【図３】
2005185311.tif 000005
【図４】
2005185311.tif 000006
【図５】
2005185311.tif 000007